(57)【要約】【課題】    本発明は、燃焼で生じた二酸化炭素を簡易に除去することができる燃焼装置を提供することを目的としている。【解決手段】    燃焼装置Ｆは、燃焼室１と、この燃焼室１で生じた排気ガスを外気に導く排気通路２と、この排気通路２の中途に設けられ、排気通路２内の前記排気ガスに水を散布又は噴霧する水供給部３と、排気通路２内に散布又は噴霧された水を排気通路２の外に導く排水通路４と、この排水通路４により導かれた水と水酸化カルシウムとを反応させて炭酸カルシウムを含む沈殿物を生成するタンク５と、このタンク５より排出された前記沈殿物を乾燥させる乾燥部６とを有するものである。【選択図】図１
2005087897.tif 000002
【特許請求の範囲】
【請求項１】
燃焼室と、
この燃焼室で生じた排気ガスを外気に導く排気通路と、
この排気通路の中途に設けられ、前記排気通路内の前記排気ガスに水を散布又は噴霧する水供給部と、
前記排気通路内に散布又は噴霧された水を前記排気通路の外に導く排水通路と、
この排水通路により導かれた水と水酸化カルシウムとを反応させて炭酸カルシウムを含む沈殿物を生成するタンクと、
このタンクより排出された前記沈殿物を乾燥させる乾燥部と
を有することを特徴とする燃焼装置。
【請求項２】
乾燥部は沈殿物を収納する容器を有し、
排気通路の外表面に設けられ、端部に外気に開口する外気開口部を有する筒体と、
この筒体は、前記筒体の中途に通路案内口を有し、この通路案内口に接続され、前記排気通路の外表面と熱交換した空気を導く通路と、
この通路の中途に設けられ、前記外気開口部、前記通路案内口より空気を前記通路内に導く送風機と、
前記通路を前記容器に接触させ、前記通路内の熱を前記容器に伝達する
ことを特徴とする請求項１記載の燃焼装置。
【請求項３】
燃焼室と、
この燃焼室で生じた排気ガスを外気に導く排気通路と、
この排気通路の中途に設けられ、前記排気通路内の前記排気ガスに水を散布又は噴霧する水供給部と、
前記排気通路内に散布又は噴霧された水を前記排気通路の外に導く排水通路と、
この排水通路により導かれた水と水酸化カルシウムとを反応させて炭酸カルシウムを含む沈殿物を生成するタンクとを有して、前記排気ガス中の有害物質を除去する有害物質の除去方法であって、
前記タンクより排出された前記沈殿物を前記排気ガスの廃熱を利用して乾燥させる
ことを特徴とする有害物質の除去方法。
【発明の詳細な説明】
【技術分野】
【０００１】
本発明は、燃焼装置及び有害物質の除去方法に係り、特に、燃焼で生じた二酸化炭素を簡易に除去することができる燃焼装置及び有害物質の除去方法に関する。
【背景技術】
【０００２】
燃焼で生じる二酸化炭素は、地球温暖化の要因であり、二酸化炭素の排出は抑制されなければならない。
その例として、例えば、排気ガス中の有害物質（例えば、二酸化炭素）を吸着剤を使用し、吸着された吸着液を沈殿溝に導き沈殿させ、沈殿したものを焼却炉に投入して、スラグ化するようにしているものがある（例えば、特許文献１参照）。
【特許文献１】特開平１１−１６５０２５号公報（段落番号［００１１］段落番号［００２５］参照）。
【発明の開示】
【発明が解決しようとする課題】
【０００３】
かかる場合、沈殿溝で沈殿した沈殿物は、そのままでは、水分があるため、焼却炉へ搬送しにくく、自然に乾燥させるためには、時間を要し、作業性が良好でないという問題点があった。
本発明は、上述した問題点を考慮してなされたもので、沈殿物の搬送を容易とした燃焼装置及び有害物質の除去方法を提供するものである。
【課題を解決するための手段】
【０００４】
上記目的を達成するために、請求項１記載の燃焼装置は、燃焼室と、この燃焼室で生じた排気ガスを外気に導く排気通路と、この排気通路の中途に設けられ、前記排気通路内の前記排気ガスに水を散布又は噴霧する水供給部と、前記排気通路内に散布又は噴霧された水を前記排気通路の外に導く排水通路と、この排水通路により導かれた水と水酸化カルシウムとを反応させて炭酸カルシウムを含む沈殿物を生成するタンクと、このタンクより排出された前記沈殿物を乾燥させる乾燥部とを有する。
【０００５】
また、請求項２記載の燃焼装置は、請求項１記載の燃焼装置において、乾燥部は沈殿物を収納する容器を有し、排気通路の外表面に設けられ、端部に外気に開口する外気開口部を有する筒体と、この筒体は、前記筒体の中途に通路案内口を有し、この通路案内口に接続され、前記排気通路の外表面と熱交換した空気を導く通路と、この通路の中途に設けられ、前記外気開口部、前記通路案内口より空気を前記通路内に導く送風機と、前記通路を前記容器に接触させ、前記通路内の熱を前記容器に伝達するものである。
【０００６】
また、請求項３記載の有害物質の除去方法は、燃焼室と、この燃焼室で生じた排気ガスを外気に導く排気通路と、この排気通路の中途に設けられ、前記排気通路内の前記排気ガスに水を散布又は噴霧する水供給部と、前記排気通路内に散布又は噴霧された水を前記排気通路の外に導く排水通路と、この排水通路により導かれた水と水酸化カルシウムとを反応させて炭酸カルシウムを含む沈殿物を生成するタンクとを有して、前記排気ガス中の有害物質を除去する有害物質の除去方法であって、前記タンクより排出された前記沈殿物を前記排気ガスの廃熱を利用して乾燥させるものである。
【発明の効果】
【０００７】
請求項１記載の燃焼装置によれば、排気ガス中の有害物質である二酸化炭素を排気通路内に水を散布又は噴霧することにより溶け込ませ、二酸化炭素が溶け込んだ水と水酸化カルシウムとを反応させて炭酸カルシウムの沈殿物を生成し、該沈殿物を乾燥部により乾燥させて固形化し、他の工程へと搬送し易くすることができる。
【０００８】
また、請求項２記載の燃焼装置によれば、請求項１記載の発明の効果に加え、沈殿物を排気ガスの廃熱を利用して乾燥させるため、固形化した沈殿物を効率良く処理することができる。
【０００９】
また、請求項３記載の有害物質の除去方法によれば、排気ガス中の有害物質である二酸化炭素を排気通路内に水を散布又は噴霧することにより溶け込ませ、二酸化炭素が溶け込んだ水と水酸化カルシウムとを反応させて炭酸カルシウムの沈殿物を生成し、沈殿物を排気ガスの廃熱を利用して乾燥させるため、固形化した沈殿物を効率良く処理することができる。
【実施例】
【００１０】
本発明の一実施例の燃焼装置及び有害物質の除去方法を図面を参照して説明する。
図１において、Ｆは燃焼装置で、燃焼装置Ｆは、燃焼室１で廃棄物（図示せず）を燃焼して生じた排気ガスを外気に導く排気通路２を有している。２ａは排気通路２の先端部で、先端部２ａは外気に臨んでいる。
【００１１】
３は水供給部で、水供給部３は排気通路２の中途に設けられ、排気通路２内の排気ガスに水（水は、例えば、苛性ソ−ダを含む水である。）を散布又は噴霧して、排気ガスを冷却すると共に、排気ガス中に含まれる有害物質（例えば、二酸化炭素）を水に溶け込ませるものである。
なお、苛性ソ−ダを含む水を散布又は噴霧するのは、排気ガス中に含まれる塩素、硫黄を塩化ナトリウム、硫酸ナトリウムとして回収するためである。
水供給部３は、図２に示すように、本実施例では排気通路２の先端側に位置し、水をシャワ−状に水を散布する水散布部31と、水を霧状に噴霧する水噴霧部32とを備え、排気ガス流れにおいて、水散布部31が水噴霧部32より上流側に位置するようになっている。
水散布部31及び水噴霧部32により、排気ガスに水が供給されると、排気ガス流れが弱くなるため、排気ガス流れを速めるように、排気通路２の先端側にエゼクタ−ブロワ−（排気通路２の先端側に位置する煙突内部に、煙突の先端側方向へ吹き込むエゼクタ−送風装置）の吐出管10が設けられている。
【００１２】
４は排気通路２内に散布又は噴霧された水を排気通路２の外に導く排水通路で、排水通路４の先端は、散布又は噴霧された水を受ける受け部４ａを有し、排水通路４の他端４ｂは、タンク５に臨むように設けられている。
タンク５に貯留された水は、下部に開口部51を有した仕切り壁52により仕切られ、仕切り壁52により仕切られた一方の室には、タンク５に貯留された水を攪拌する攪拌機53が設けられている。                                                                    タンク５は、排水通路２により導かれた水と水酸化カルシウムとを反応させて炭酸カルシウムを含む沈殿物を生成するところである。なお、水酸化カルシウム（消石灰）は、適宜の量、タンク５に投下される。タンク５に所定量の沈殿物が溜ると、沈殿物排出管54の開閉弁55を開いて乾燥部６へと導かれる。
【００１３】
乾燥部６は、タンク５より排出された沈殿物を乾燥させるもので、例えば、排気ガスの廃熱を利用して乾燥させるようになっている。
即ち、乾燥部６は沈殿物を収納する容器61を有している。図１及び図３に示す71は、排気通路２の外表面に設けられ、端部に外気に開口する外気開口部71ａ、71ａを有する筒体で、この筒体71は、筒体71の中途に通路案内口71ｂを有している。71ｃは筒体71を支持する支持部材で、放射状に設けられている。７は通路案内口71ｂに接続され、排気通路２の外表面と熱交換した空気を導く通路である。この通路７の中途には、送風機73が設けられ、外気開口部71ａ、通路案内口71ｂより空気を通路７内に導く送風機である。そして、通路７は容器61と接触して、通路７内の熱を容器61に伝達するようになっている。通路７の先端（容器61側の先端）は、外気へ放出するための開口部（図示せず）が設けられている。
【００１４】
タンク５内の上方に位置する水は、給水管８によりｐＨ調整タンク９に導かれる。給水管８の中途には、図示しないポンプが設けられている。ｐＨ調整タンク９はｐＨ調整剤（例えば、苛性ソ−ダ）を投入して、例えば、ｐＨ値が９前後になるように調整している。
なお、33は水供給部３（例えば、配管32）の中途に設けられたポンプで、このポンプ33によりタンク５に回収した水は、水供給部３の水として再利用されるようになっている。
【００１５】
従って、この実施例の燃焼装置Ｆによれば、排気ガス中の有害物質である二酸化炭素を排気通路２内に水を散布又は噴霧することにより溶け込ませ、二酸化炭素が溶け込んだ水と水酸化カルシウムとを反応させて炭酸カルシウムの沈殿物を生成し、該沈殿物を乾燥部８により乾燥させて沈殿物を固形化し他の工程へと搬送し易くすることができる。
なお、特に、沈殿物は排気ガスの廃熱を利用して乾燥させるため、固形化した沈殿物を効率良く処理することができる。
【００１６】
また、言い換えれば、このような有害物質の除去方法によれば、排気ガス中の有害物質である二酸化炭素を排気通路内に水を散布又は噴霧することにより溶け込ませ、二酸化炭素が溶け込んだ水と水酸化カルシウムとを反応させて炭酸カルシウムの沈殿物を生成し、沈殿物を排気ガスの廃熱を利用して乾燥させるため、炭酸カルシウムを含む沈殿物を効率良く処理することができる。
【図面の簡単な説明】
【００１７】
【図１】図１は、本発明の一実施例の燃焼装置の概略的図である。
【図２】図２は、図１の一部の水散布部及び水噴霧部を拡大して示す概略的一部拡大斜視図である。
【図３】図３は、図１の一部の排気ガスの廃熱の導入部を拡大して示す概略的一部拡大断面図である。
【符号の説明】
【００１８】
Ｆ  ・・・・・燃焼装置
１  ・・・・・燃焼室
２  ・・・・・排気通路
３  ・・・・・水供給部
４  ・・・・・排水通路
５  ・・・・・タンク
６  ・・・・・乾燥部
【図１】
2005087897.tif 000003
【図２】
2005087897.tif 000004
【図３】
2005087897.tif 000005